【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
一つの能動部分（２）と、前記能動部分の反対側の端に配置された取っ手（３）とで構成されている機械式の歯科医療器具であって、
歯科医療器具の取っ手（３）が回転駆動手段（４）を備え、該手段がハンドピースのヘッドに取り付けられると、そのハンドピースのヘッドの上部に位置する回転駆動手段と直接かみ合うことができるようになっており、
能動部分（２）が軸（２ａ）を含み、回転駆動手段（４）が、能動部分（２）の軸（２ａ）上にはめ込むことにより能動部分に固定されている金属板部品で製作され、
前記部品には開口部（５）が少なくとも一つあり、該開口部が、前記軸（２ａ）の上に取っ手をオーバーモールドする段階において、取っ手（３）を形成するプラスチック材料が開口部内を循環できるようにして、回転駆動手段がその軸（２ａ）上に確実に連結されるように成形されており、
回転駆動手段（４）を形成している部品が、部品内への切り込みにより形成された歯を有している
ことを特徴とする歯科医療器具。
【請求項２】
一つの能動部分（２）と、前記能動部分の反対側の端に配置された取っ手（３）とで構成されている機械式の歯科医療器具であって、
歯科医療器具の取っ手（３）が回転駆動手段（４）を備え、該手段がハンドピースのヘッドに取り付けられると、そのハンドピースのヘッドの上部に位置する回転駆動手段と直接かみ合うことができるようになっており、
能動部分（２）が軸（２ａ）を含み、回転駆動手段（４）が、金属板部品で製作され、
前記部品には開口部（５）が少なくとも一つあり、該開口部が、能動部分（２）の軸（２ａ）の上に製作された平たい部分（６）と、回転駆動手段（４）の中央口との組み合わせによって形成され、また、前記軸（２ａ）の上に取っ手をオーバーモールドする段階において、取っ手（３）を形成するプラスチック材料が開口部内を循環できるようにして、回転駆動手段がその軸（２ａ）上に確実に連結されるように成形されており、
回転駆動手段（４）を形成している部品が、部品内への切り込みにより形成された歯を有している
ことを特徴とする歯科医療器具。
【請求項３】
回転駆動手段（４）を形成している部品の歯が、部品の中心部に対して折り曲げられている、請求項１または２に記載の機械式の歯科医療器具。
【請求項４】
一つの能動部分（２）と、前記能動部分の反対側の端に配置された取っ手（３）とで構成されている機械式の歯科医療器具であって、
歯科医療器具の取っ手（３）が回転駆動手段（４）を備え、該手段がハンドピースのヘッドに取り付けられると、そのハンドピースのヘッドの上部に位置する回転駆動手段と直接かみ合うことができるようになっており、
能動部分（２）が軸（２ａ）を含み、回転駆動手段（４）が、能動部分（２）の軸（２ａ）上にはめ込むことにより能動部分に固定されている金属板部品で製作され、
前記部品には開口部（５）が少なくとも一つあり、該開口部が、前記軸（２ａ）の上に取っ手をオーバーモールドする段階において、取っ手（３）を形成するプラスチック材料が開口部内を循環できるようにして、回転駆動手段がその軸（２ａ）上に確実に連結されるように成形されており、
能動部分（２）が、取っ手（３）を一方の側から他の側へと貫く
ことを特徴とする歯科医療器具。
【請求項５】
一つの能動部分（２）と、前記能動部分の反対側の端に配置された取っ手（３）とで構成されている機械式の歯科医療器具であって、
歯科医療器具の取っ手（３）が回転駆動手段（４）を備え、該手段がハンドピースのヘッドに取り付けられると、そのハンドピースのヘッドの上部に位置する回転駆動手段と直接かみ合うことができるようになっており、
能動部分（２）が軸（２ａ）を含み、回転駆動手段（４）が、金属板部品で製作され、
前記部品には開口部（５）が少なくとも一つあり、該開口部が、能動部分（２）の軸（２ａ）の上に製作された平たい部分（６）と、回転駆動手段（４）の中央口との組み合わせによって形成され、また、前記軸（２ａ）の上に取っ手をオーバーモールドする段階において、取っ手（３）を形成するプラスチック材料が開口部内を循環できるようにして、回転駆動手段がその軸（２ａ）上に確実に連結されるように成形されており、
能動部分（２）が、取っ手（３）を一方の側から他の側へと貫く
ことを特徴とする歯科医療器具。
【請求項６】
一つの能動部分（２）と、前記能動部分の反対側の端に配置された取っ手（３）とで構成されている機械式の歯科医療器具であって、
歯科医療器具の取っ手（３）が回転駆動手段（４）を備え、該手段がハンドピースのヘッドに取り付けられると、そのハンドピースのヘッドの上部に位置する回転駆動手段と直接かみ合うことができるようになっており、
能動部分（２）が軸（２ａ）を含み、回転駆動手段（４）が、能動部分（２）の軸（２ａ）上にはめ込むことにより能動部分に固定されている金属板部品で製作され、
前記部品には開口部（５）が少なくとも一つあり、該開口部が、前記軸（２ａ）の上に取っ手をオーバーモールドする段階において、取っ手（３）を形成するプラスチック材料が開口部内を循環できるようにして、回転駆動手段がその軸（２ａ）上に確実に連結されるように成形されており、
取っ手（３）が、電流を捉えるための突起（７）を有する
ことを特徴とする歯科医療器具。
【請求項７】
一つの能動部分（２）と、前記能動部分の反対側の端に配置された取っ手（３）とで構成されている機械式の歯科医療器具であって、
歯科医療器具の取っ手（３）が回転駆動手段（４）を備え、該手段がハンドピースのヘッドに取り付けられると、そのハンドピースのヘッドの上部に位置する回転駆動手段と直接かみ合うことができるようになっており、
能動部分（２）が軸（２ａ）を含み、回転駆動手段（４）が、金属板部品で製作され、
前記部品には開口部（５）が少なくとも一つあり、該開口部が、能動部分（２）の軸（２ａ）の上に製作された平たい部分（６）と、回転駆動手段（４）の中央口との組み合わせによって形成され、また、前記軸（２ａ）の上に取っ手をオーバーモールドする段階において、取っ手（３）を形成するプラスチック材料が開口部内を循環できるようにして、回転駆動手段がその軸（２ａ）上に確実に連結されるように成形されており、
取っ手（３）が、電流を捉えるための突起（７）を有する
ことを特徴とする歯科医療器具。
【請求項８】
突起（７）が取っ手の上部にあることを特徴とする、請求項６または７に記載の機械式の歯科医療器具。
【請求項９】
一つの能動部分（２）と、前記能動部分の反対側の端に配置された取っ手（３）とで構成されている機械式の歯科医療器具であって、
歯科医療器具の取っ手（３）が回転駆動手段（４）を備え、該手段がハンドピースのヘッドに取り付けられると、そのハンドピースのヘッドの上部に位置する回転駆動手段と直接かみ合うことができるようになっており、
能動部分（２）が軸（２ａ）を含み、回転駆動手段（４）が、能動部分（２）の軸（２ａ）上にはめ込むことにより能動部分に固定されている金属板部品で製作され、
前記部品には開口部（５）が少なくとも一つあり、該開口部が、前記軸（２ａ）の上に取っ手をオーバーモールドする段階において、取っ手（３）を形成するプラスチック材料が開口部内を循環できるようにして、回転駆動手段がその軸（２ａ）上に確実に連結されるように成形されており、
取っ手（３）が、力を捉えるための突起（７）を有する
ことを特徴とする歯科医療器具。
【請求項１０】
一つの能動部分（２）と、前記能動部分の反対側の端に配置された取っ手（３）とで構成されている機械式の歯科医療器具であって、
歯科医療器具の取っ手（３）が回転駆動手段（４）を備え、該手段がハンドピースのヘッドに取り付けられると、そのハンドピースのヘッドの上部に位置する回転駆動手段と直接かみ合うことができるようになっており、
能動部分（２）が軸（２ａ）を含み、回転駆動手段（４）が、金属板部品で製作され、
前記部品には開口部（５）が少なくとも一つあり、該開口部が、能動部分（２）の軸（２ａ）の上に製作された平たい部分（６）と、回転駆動手段（４）の中央口との組み合わせによって形成され、また、前記軸（２ａ）の上に取っ手をオーバーモールドする段階において、取っ手（３）を形成するプラスチック材料が開口部内を循環できるようにして、回転駆動手段がその軸（２ａ）上に確実に連結されるように成形されており、
取っ手（３）が、力を捉えるための突起（７）を有する
ことを特徴とする歯科医療器具。
【請求項１１】
突起（７）が取っ手の上部にあることを特徴とする、請求項９または１０に記載の機械式の歯科医療器具。
【請求項１２】
一つの能動部分（２）と、前記能動部分の反対側の端に配置された取っ手（３）とで構成されている機械式の歯科医療器具であって、
歯科医療器具の取っ手（３）が回転駆動手段（４）を備え、該手段がハンドピースのヘッドに取り付けられると、そのハンドピースのヘッドの上部に位置する回転駆動手段と直接かみ合うことができるようになっており、
能動部分（２）が軸（２ａ）を含み、回転駆動手段（４）が、能動部分（２）の軸（２ａ）上にはめ込むことにより能動部分に固定されている金属板部品で製作され、
前記部品には開口部（５）が少なくとも一つあり、該開口部が、前記軸（２ａ）の上に取っ手をオーバーモールドする段階において、取っ手（３）を形成するプラスチック材料が開口部内を循環できるようにして、回転駆動手段がその軸（２ａ）上に確実に連結されるように成形されており、
取っ手（３）が、電流及び力を捉えるための突起（７）を有する
ことを特徴とする歯科医療器具。
【請求項１３】
一つの能動部分（２）と、前記能動部分の反対側の端に配置された取っ手（３）とで構成されている機械式の歯科医療器具であって、
歯科医療器具の取っ手（３）が回転駆動手段（４）を備え、該手段がハンドピースのヘッドに取り付けられると、そのハンドピースのヘッドの上部に位置する回転駆動手段と直接かみ合うことができるようになっており、
能動部分（２）が軸（２ａ）を含み、回転駆動手段（４）が、金属板部品で製作され、
前記部品には開口部（５）が少なくとも一つあり、該開口部が、能動部分（２）の軸（２ａ）の上に製作された平たい部分（６）と、回転駆動手段（４）の中央口との組み合わせによって形成され、また、前記軸（２ａ）の上に取っ手をオーバーモールドする段階において、取っ手（３）を形成するプラスチック材料が開口部内を循環できるようにして、回転駆動手段がその軸（２ａ）上に確実に連結されるように成形されており、
取っ手（３）が、電流及び力を捉えるための突起（７）を有する
ことを特徴とする歯科医療器具。
【請求項１４】
突起（７）が取っ手の上部にあることを特徴とする、請求項１２または１３に記載の機械式の歯科医療器具。